(57)【要約】    【課題】  複数の電源コードから複数の負荷に、能率よく給電する。    【解決手段】  第１および第２電源コード４８，４９；第１電源コード４８からＡＣ負荷４２ａへのＡＣ給電を制御する交流制御手段５１ａ；第２電源コード４９から給電されるＡＣをＤＣに変換するＤＣ電源４０ｂ；該ＤＣ電源４０ｂからＤＣ負荷へのＤＣ給電を制御するＤＣ制御手段３０；および、前記ＤＣ電源４０ｂのＤＣ出力を受け、前記交流制御手段５１ａおよびＤＣ制御手段３０を制御するメイン制御手段２０；を備える電源装置。更に電源スイッチ４５および電気リレーＲＡ０を備え；電源スイッチ４５を第２電源コード４９とＤＣ電源４０ｂの間に介挿し、電気リレーＲＡ０を第１電源コード４８と交流制御手段５１ａとの間に介挿し；ＤＣ電源４０ｂがそのＤＣ出力によって電気リレーＲＡ０を閉じる。  【選択図】  図３
2007049893.tif 000002
【特許請求の範囲】
【請求項１】
ＡＣ電力供給用の第１および第２電源コード；
第１電源コードからＡＣ負荷へのＡＣ給電を制御する交流制御手段；
第２電源コードから給電されるＡＣをＤＣに変換するＤＣ電源；
該ＤＣ電源からＤＣ負荷へのＤＣ給電を制御するＤＣ制御手段；および、
前記ＤＣ電源のＤＣ出力を受け、前記交流制御手段およびＤＣ制御手段を制御するメイン制御手段；
を備える電源装置。
【請求項２】
更に電源スイッチおよび電気リレーを備え；前記電源スイッチを第２電源コードと前記ＤＣ電源の間に介挿し、前記電気リレーを第１電源コードと前記交流制御手段との間に介挿した；請求項１に記載の電源装置。
【請求項３】
前記ＤＣ電源がそのＤＣ出力によって前記電気リレーを閉じる；請求項２に記載の電源装置。
【請求項４】
ＡＣ電源給電用の第１および第２電源コード；
ＡＣ負荷およびＤＣ負荷；
第１電源コードから前記ＡＣ負荷へのＡＣ給電を制御する交流制御手段；
第２電源コードから給電されるＡＣをＤＣに変換するＤＣ電源；
該ＤＣ電源から前記ＤＣ負荷へのＤＣ給電を制御するＤＣ制御手段；および、
前記ＤＣ電源からＤＣを給電され、前記交流制御手段およびＤＣ制御手段を制御するメイン制御手段；
を備える画像形成装置。
【請求項５】
前記ＡＣ負荷は第１定着ヒータを含む；請求項４に記載の画像形成装置。
【請求項６】
画像形成装置は更に、第２定着ヒータおよび第２電源コードから第２定着ヒータへのＡＣ給電を制御する交流制御手段を備え；該交流制御手段を介して前記メイン制御手段は、定着温度を急速に立ち上げる立ち上りモードでは第２電源コードから第２定着ヒータに給電し、画像形成を行うモードでは第２電源コードから第２定着ヒータへの給電は停止する；請求項５に記載の画像形成装置。
【請求項７】
画像形成装置は更に、第２定着ヒータ、および、第２電源コードから第２定着ヒータへのＡＣ給電を制御する交流制御手段を備え；該交流制御手段を介して前記メイン制御手段は、画像形成を行うモードでは第２電源コードから第２定着ヒータに給電し、画像形成の指示を待つ待機モードでは第２電源コードから第２定着ヒータへの給電は停止する；請求項５に記載の画像形成装置。
【請求項８】
更に電源スイッチおよび電気リレーを備え；前記電源スイッチを第２電源コードと前記ＤＣ電源の間に介挿し、前記電気リレーを第１電源コードと前記交流制御手段との間に介挿した；請求項４乃至７のいずれか１つに記載の画像形成装置。
【請求項９】
前記ＤＣ電源がそのＤＣ出力によって前記電気リレーを閉じる；請求項８に記載の画像形成装置。
【発明の詳細な説明】
【技術分野】
【０００１】
本発明は、電源装置およびそれを用いる画像形成装置に関し、特に、これに限定する意図ではないが、汎用商用交流配線から受電して多量の電力を消費する電源装置および画像形成装置に関する。
【背景技術】
【０００２】
【特許文献１】特公平０４−７６１２５号公報  近年、画像形成装置の高速化への要求が高まっている。それを実現するためには、高速処理をするために定着ヒータのワット数やモータのワット数を大きくする必要があるが、これにより電力消費が増加する。さらに、カラー化や高精度化の要素が加わると、高圧負荷，モータ負荷，電気回路負荷等が増大するので、電力消費がさらに増加する。周知のように、日本国内では最も一般的な商用１００Ｖ交流配線のコンセントからＡＣ入力を１本の電源コードでとる場合は、電流は１５Ａ以内に制限される。したがって、前述の画像形成装置の電気負荷がＡＣ入力換算で１５Ａを越える場合は、電源コードを２本以上設けて、１本からの入力が１５Ａ以下になるような電源回路を構成する必要がある。
【発明の開示】
【発明が解決しようとする課題】
【０００３】
特許文献１は、定着器に主ヒータと補助ヒータを備え、オプションのソータも独立に商用電源から給電されるものとし、複写機本体にはソータの接続を検出してソータの接続があるときには補助ヒータ給電回路を本体の給電端子からソータの給電端子に切換え接続する制御部を備える複写機を提示している。オプションのソータが複写機本体に接続されているときには、主ヒータは本体に接続した電源コードから、補助ヒータはソータに接続した電源コードから、それぞれ別個に給電されるので、両ヒータ合わせると、大きな電力を定着器に投入でき、立上げを高速にすることができ又通紙を高速にできる。しかし、ソータを接続しない使用態様では、両ヒータ合わせて１系統の電源コードで給電可能な範囲内の給電になるので、定着器の立上げは遅く通紙の高速化はできない。
【０００４】
そこで２本以上の電源コードを常備して、1本で定着ヒータや除湿ヒータなどのＡＣ負荷に給電し、もう1本にＤＣ電源回路を接続して直流負荷に給電する構成を考えると、回路構成上簡単になり、また、電流分配上も比較的バランスがとりやすい。
【０００５】
本発明は、複数の電源コードから、複数組の電気負荷に、能率よく給電することを目的とする。
【課題を解決するための手段】
【０００６】
（１）ＡＣ電力供給用の第１および第２電源コード(48,49)；
第１電源コード(48)からＡＣ負荷(42a)へのＡＣ給電を制御する交流制御手段(51a)；
第２電源コード(49)から給電されるＡＣをＤＣに変換するＤＣ電源(40b)；
該ＤＣ電源(40b)からＤＣ負荷へのＤＣ給電を制御するＤＣ制御手段(30)；および、
前記ＤＣ電源(40b)のＤＣ出力を受け、前記交流制御手段(51a)およびＤＣ制御手段(30)を制御するメイン制御手段(20)；
を備える電源装置。
【０００７】
なお、理解を容易にするためにカッコ内には、図面に示し後述する実施例の対応要素または対応事項の記号を、例示として参考までに付加した。
【発明の効果】
【０００８】
これにより、第１および第２電源コード(48,49)を共に効率よい給電に活用できる。
【発明を実施するための最良の形態】
【０００９】
（２）更に電源スイッチ(45)および電気リレー(RA0)を備え；前記電源スイッチ(45)を第２電源コード(49)と前記ＤＣ電源(40b)の間に介挿し、前記電気リレー(RA0)を第１電源コード(48)と前記交流制御手段(51a)との間に介挿した；上記（１）に記載の電源装置。
【００１０】
（３）前記ＤＣ電源(40b)がそのＤＣ出力によって前記電気リレー(RA0)を閉じる；上記（２）に記載の電源装置。
【００１１】
これによれば、電源スイッチ(45)が閉じられると、ＤＣ電源(40b)が第２電源コード(49)から給電されてＤＣ電圧を発生する。この直流出力により電気リレー(RA0)が閉じて交流制御手段(51a)が第１電源コードに接続となる。したがって、電源スイッチ(45)が閉じられると電源装置はまずＤＣ出力を発生し、その後にＡＣ出力可になる。この実施態様の電源装置を用いれば、メイン制御手段(20)がＤＣ電源(40b)からＤＣ給電されて制御可になってから、交流制御手段(51a)がＡＣ出力する交流給電のタイミング設定、が容易である。ＤＣ電源(40b)のＤＣ出力が消えると電気リレー(RA0)が開いてＡＣ出力も自動的に止められるので、メイン制御手段(20)へのＤＣ給電が止まるときには自動的にＡＣ負荷への給電も止まり、ＡＣ負荷の異常動作が防がれる。また、各電源コードに電源スイッチを備えるとユーザのスイッチ操作が煩わしくなるが、この実施態様では、１つの電源スイッチ(45)を操作するだけでよく、操作性が良い。
【００１２】
（４）ＡＣ電源給電用の第１および第２電源コード(48,49)；
ＡＣ負荷(42a)およびＤＣ負荷；
第１電源コード(48)から前記ＡＣ負荷(42a)へのＡＣ給電を制御する交流制御手段(51a)；
第２電源コード(49)から給電されるＡＣをＤＣに変換するＤＣ電源(40b)；
該ＤＣ電源(40b)から前記ＤＣ負荷へのＤＣ給電を制御するＤＣ制御手段(30)；および、
前記ＤＣ電源(40b)からＤＣを給電され、前記交流制御手段(51a)およびＤＣ制御手段(30)を制御するメイン制御手段(20)；
を備える画像形成装置。
【００１３】
これにより、第１および第２電源コードを共に画像形成装置への効率よい給電に活用できる。
【００１４】
（５）前記ＡＣ負荷(42a)は第１定着ヒータ(42a)を含む；上記（４）に記載の画像形成装置。
【００１５】
（６）画像形成装置は更に、第２定着ヒータ(42b)および第２電源コード(49)から第２定着ヒータ(42b)へのＡＣ給電を制御する交流制御手段(51b)を備え；該交流制御手段(51b)を介して前記メイン制御手段(20)は、定着温度を急速に立ち上げる立ち上りモードでは第２電源コード(49)から第２定着ヒータ(42b)に給電し、画像形成を行うモードでは第２電源コード(49)から第２定着ヒータ(42b)への給電は停止する（表１）；上記（５）に記載の画像形成装置。
【００１６】
（７）画像形成装置は更に、第２定着ヒータ(42b)および第２電源コード(49)から第２定着ヒータ(42b)へのＡＣ給電を制御する交流制御手段(51b)を備え；該交流制御手段(51b)を介して前記メイン制御手段(20)は、画像形成を行うモードでは第２電源コード(49)から第２定着ヒータ(42b)に給電し、画像形成の指示を待つ待機モードでは第２電源コード(49)から第２定着ヒータ(42b)への給電は停止する（表２）；上記（５）に記載の画像形成装置。
【００１７】
（８）第２電源コード(49)と前記ＤＣ電源(40b)の間に介挿した電源スイッチ(45)、および、第１電源コード(48)と前記交流制御手段(51a)との間に介挿した電気リレー(RA0)、を更に備える；上記（４）乃至（７）のいずれか１つ記載の画像形成装置。
【００１８】
（９）前記ＤＣ電源(40b)がそのＤＣ出力によって前記電気リレー(RA0)を閉じる；上記（８）に記載の画像形成装置。
【００１９】
これによれば、電源スイッチ(45)が閉じられると、ＤＣ電源(40b)が第２電源コード(49)から給電されてＤＣ電圧を発生する。この直流出力により電気リレー(RA0)が閉じて交流制御手段(51a)が第１電源コードに接続となる。したがって、電源スイッチ(45)が閉じられるとまずＤＣ出力が発生し、その後にＡＣ出力可になる。この実施態様によれば、メイン制御手段(20)がＤＣ電源(40b)からＤＣ給電されて制御可になってから、交流制御手段(51a)がＡＣ出力する交流給電のタイミング設定、が容易である。ＤＣ電源(40b)のＤＣ出力が消えると電気リレー(RA0)が開いてＡＣ出力も自動的に止められるので、メイン制御手段(20)へのＤＣ給電が止まるときには自動的にＡＣ負荷への給電も止まり、ＡＣ負荷の異常動作が防がれる。また、各電源コードに電源スイッチを備えるとユーザのスイッチ操作が煩わしくなるが、この実施態様では、１つの電源スイッチ(45)を操作するだけでよく、操作性が良い。
【００２０】
本発明の他の目的および特徴は、図面を参照した以下の実施例の説明により明らかになろう。
【実施例１】
【００２１】
−第１実施例−
図１に本発明の１実施例の複合機能複写機の外観を示す。この複合機能複写機は、大略で、自動原稿送り装置〔ＡＤＦ〕２２と、操作部２３と、カラースキャナ２１と、カラープリンタ１００と、中継ユニット１８と、ステープラ及び作像された用紙を大量に積載可能なシフトトレイ付きのフィニッシャ４１と、両面ユニット３２と、給紙ユニット３１と、大容量給紙トレイ１９及び１ビン排紙トレイ１７、の各ユニットで構成されている。
【００２２】
図２に、図１に示す複写機の電気システムの概要を示す。図２において複写機メカ制御部としては、ＭＰＵ（Micro Processing Unit；マイクロプロセッサユニット）２０１は作像シーケンス制御，定着制御，システム関係の制御およびネットワークＩ／Ｆ（インターフェース）２０５を介した外部（パソコンＰＣ，ファクシミリ）との通信制御を行う。ネットワークＩ／Ｆ２０５には、パソコンＰＣが接続したＬＡＮ(Local Area Network)ならびに交換器ＰＢＸが接続されており、交換器ＰＢＸに、電話回線ＰＮ（ファクシミリ通信回線）が接続されている。ＣＰＵ（Center Processing Unit；中央処理ユニット）３０１は、スキャナ関係の制御を行う。ＭＰＵ２０１とＣＰＵ３０１とは、画像データＩ／Ｆ及びシリアルＩ／Ｆによって接続されている。
【００２３】
２０はメイン制御板であり、ＭＰＵ２０１，プログラムやデータを格納するＲＯＭ２０１，ＲＡＭ２０２，時刻を取得するためのリアルタイムクロック（ＲＴＣ）２０３およびネットワークＩ／Ｆ２０４が備わっている。２１はスキャナユニットで、ＲＯＭ３０２およびＲＡＭ３０３が搭載されている。２２はＡＤＦ（自動原稿供給装置）、２３は操作部である。３０はメイン制御板２０からの信号に応じてＩ／Ｏ（入出力ポート）をドライブするＩ／Ｏ制御板であり、給紙ユニット３１，両面ユニット３２等の負荷が接続されている。そして４０はＡＣ／ＤＣ電源であり、周辺機のフィニッシャ４１，定着ユニット４２，キーカードユニット４３，メインモータ４４，高圧電源ユニット４５等への電源供給を行っている。このＡＣ／ＤＣ電源４０は、メイン制御板２０からの信号に応じて、定着ユニット４２，スキャナユニット２１，キーカードユニット４３等への電源の供給をＯＮ／ＯＦＦすることが可能である。
【００２４】
キーカードユニット４３は、磁気カードの読み書きをする磁気リーダ部と、メイン制御板２０とデータを授受するＣＰＵおよび双方向パラレルＩ／Ｆを有し、キーカードユニット４３の読み書きコントローラであるＣＰＵは、メイン制御板２０のＭＰＵ２０１と、双方向パラレルデータラインを介してデータのやり取りをする。なお、フィニッシャ４１も、メイン制御板２０のＭＰＵ２０１と、双方向パラレルデータラインを介してデータのやり取りをする。
【００２５】
Ｉ／Ｏ制御板３０には電源ＳＷ４６が接続されている。この電源ＳＷ４６は、待機モード／省電力モードを指定する入力スイッチであり、省電力モード（省電力状態）のときに閉じられると、これは待機モード（動作状態）への復帰を指示する。待機モードのときに閉じられると、これは省電力モードへの移行を指示する。
【００２６】
図３に、ＡＣ／ＤＣ電源４０の概要を示す。ＡＣ／ＤＣ電源４０には、ＡＣ電源回路４０ａとＤＣ電源回路４０ｂがある。ＡＣ電源回路４０ａには、トライアックの導通位相制御により給電電力を制御する交流通電回路５０，５１ａおよび５１ｂがあり、これらはそれぞれ、交流負荷である除湿ヒータ４７ａ，第１定着ヒータ４２ａおよび第２定着ヒータ４２ｂに給電する。ＤＣ電源回路４０ｂは、メイン制御板２０およびＩ／Ｏ制御板３０に直流電圧を印加する。
【００２７】
ＡＣ／ＤＣ電源４０には、一般家庭用の商用１００Ｖ交流配線にそれぞれ別個のコネクタで接続される第１電源コード４８および第２電源コード４９がそれぞれ、一般家庭用の商用１００Ｖ交流であるＡＣ入力１およびＡＣ入力２を給電する。
【００２８】
第２電源コード４９とＡＣ／ＤＣ電源４０の間には、主電源ＳＷ４５が介挿されており、この電源ＳＷ４５を介してＤＣ電源回路４０ｂが第２電源コード４９のＡＣ入力２の交流電力を受ける。ＤＣ電源回路４０ｂは、図２に示す画像形成プロセス機器および制御器に必要なＤＣ電圧（3.3V・5V・12V・24Vなど）を内部の整流回路（ＡＣ／ＤＣ変換回路）およびＤＣ／ＤＣコンバータで生成する。また、ＡＣ電源回路４０ａの、第１電源コード４８からのＡＣ入力１を受電するラインに介挿された電気リレーＲＡ０に２４Ｖを供給する。
【００２９】
ＡＣ電源回路４０ａには、第１電源コード４８からのＡＣ入力１を除湿ヒータ４７ａおよび第１定着ヒータ４２ａに給電する交流通電回路５０および５１ａ、ならびに、第１電源コード４８からのＡＣ入力１又は第２電源コード４９からのＡＣ入力２を第２定着ヒータ４２ｂに給電する交流通電回路５１ｂがある。第１および第２定着ヒータ４２ａ，４２ｂは、メイン制御板２０から交流通電回路５１ａ，５１ｂへの制御信号を用いるトライアックの導通位相制御によって所定の温度に成るように通電が制御される。除湿ヒータ４７ａの役割は、省電力モードの時の転写紙の除湿や、光学系などの結露防止である。
【００３０】
第１定着ヒータ４２ａは、立上りモード，待機モードおよびコピーモードの全モードで給電されるメインヒータであり、第２定着ヒータ４２ｂは、立上りモードおよびコピーモードで給電されるサブヒータであり、この第２定着ヒータ４２ｂに給電することにより、定着器の温度の立上りが速く、コピー時には高速で転写紙を通紙できる。
【００３１】
ＡＣ電源回路４０ａには更に、第１電源コード４８からのＡＣ入力１および第２電源コード４９からのＡＣ入力２を選択的に交流通電回路５１ｂ（第２定着ヒータ４２ｂ）に給電するための電気リレーＲＡ１およびＲＡ２がある。これらのリレーのＯＮ／ＯＦＦは、メイン制御板２０のＭＰＵ２０１が制御する。なお、後述するように、電気リレーＲＡ１をＯＮ（閉）にするときには電気リレーＲＡ２はＯＦＦ（開）、電気リレーＲＡ２をＯＮにするときには電気リレーＲＡ１をＯＦＦにするので、両リレーＲＡ１，ＲＡ２を、一方が閉であると他方が開となる双極の１個の電気リレーに変えても良い。
【００３２】
定着器が設定温度に達し、いつでもコピー可能な状態である待機モードにおいては、定着器は転写紙に熱が奪われないので設定温度を維持すればいいので、第１定着ヒータ４２ａ（１０００Ｗ）のみに、交流通電回路５１ａで通電し、最高で１０００Ｗを消費する。待機モードにおいては、モータなどの駆動負荷が動かないのでＤＣ負荷は小さく、ＤＣ電源回路４０ｂ以下のＤＣ負荷は６００Ｗ以下を消費し、合計電力は１６００Ｗ以下である。この時は、定着電力は１５００Ｗ（１５Ａ）以下なので、ＡＣ入力１からのみの給電とする。すなわち、リレーＲＡ１をＯＮ、ＲＡ２をＯＦＦにする。すなわちリレーＲＡ１，ＲＡ２を、第１給電モードに設定する。
【００３３】
コピーモードにおいては、転写紙が定着器の熱を奪うので定着器の温度が低下する。そこで第１定着ヒータ４２ａ（１０００Ｗ）に交流通電回路５１ａで通電して最高で１０００Ｗ消費して、第２定着ヒータ４２ｂ（８００Ｗ）は５０％デューティを中心に点灯制御して、略４００Ｗ消費する。ＤＣ負荷はモータなどの駆動負荷が動くのでＤＣ負荷は高く、ＡＣ入力換算で略１２００Ｗ消費し、合計電力は略２６００Ｗになる。この時も、定着電力は１５００Ｗ（１５Ａ）以下なので、第１定着ヒータ４２ａ，第２定着ヒータ４２ｂともにＡＣ入力１を給電し、ＤＣ電源回路４０ｂ以下の直流負荷には、ＡＣ入力２から給電するに、リレーＲＡ１をＯＮ、ＲＡ２をＯＦＦにする。すなわちリレーＲＡ１，ＲＡ２を、第１給電モードに設定する。
【００３４】
電源ＳＷ４５が開から閉に切換わった電源投入直後の立上りモードにおいては、室温である定着器をできるだけ早く設定温度に立ち上げるために、第１定着ヒータ４２ａ（１０００Ｗ）および第２定着ヒータ４２ｂ（８００Ｗ）ともフル点灯制御するので、最高で１８００Ｗ消費する。ＤＣ負荷は待機モードと同様に、モータなどの駆動負荷が動かないのでＤＣ負荷は小さく、ＤＣ電源回路４０ｂ以下のＤＣ負荷は６００Ｗ以下を消費し、合計電力は最高で２４００Ｗだが、定着電力は１５００Ｗ（１５Ａ）をオーバーし、ＤＣ電源回路４０ｂへのＡＣ入力２には余裕があるので、第１定着ヒータ４２ａはＡＣ入力１から給電し、第２定着ヒータ４２ｂとＤＣ電源回路４０ｂはＡＣ入力２から給電するように、リレーＲＡ１をＯＦＦ、リレーＲＡ２をＯＮにする。すなわちリレーＲＡ１，ＲＡ２を、第２給電モードに設定する。各モードでの、ＤＣ負荷，第１定着ヒータ４２ａ，第２定着ヒータ４２ｂの、入力交流電力換算の消費電力と合計電力、ならびに、リレーＲＡ１，ＲＡ２のＯＮ／ＯＦＦ状態を、次の表１に示す。
【００３５】
【表１】
2007049893.tif 000003
【００３６】
この実施例では、リレーＲＡ１，ＲＡ２のＯＮ／ＯＦＦによるＡＣ入力の選択は、待機モードとコピーモードで同一とし、立上りモードで切り換えたが、電源コード１，２の電流規格値と各モードでの各定着ヒータＷ数，ＤＣ負荷(交流入力換算)Ｗ数の関係により設定する。また、電源コードが３本以上の複数本でも、各コードの規格値に収めるために、動作モードによって負荷接続を切り換える。
【実施例２】
【００３７】
−第２実施例−
第２実施例のハードウエアは上述の第１実施例と同様であるが、全般にＤＣ負荷が小さく、ヒータ投入電力は、立ち上がりモードは同一であるが、待機モードおよびコピーモードで少し小さい。
【００３８】
図４に、第２実施例のＡＣ／ＤＣ電源４０の概要を示す。定着器が設定温度に達し、いつでもコピー可能な状態である待機モードにおいては、定着器は転写紙に熱が奪われないので設定温度を維持すればいいので、第１定着ヒータ４２ａ（１０００Ｗ）はフル点灯し、最高で１０００Ｗ消費し、第２定着ヒータ４２ｂ（８００Ｗ）は、２５％デューティを中心に点灯制御して、略２００Ｗ消費する。ＤＣ電源回路４０ｂ以下のＤＣ負荷は、モータなどの駆動負荷が動かないので交流入力換算で、最高で４００Ｗ消費し、合計電力は最高で１６００Ｗになる。
【００３９】
この待機モードの時は、定着電力は１５００Ｗ（１５Ａ）以下なので、ＡＣ入力１からのみの給電とする。すなわち、リレーＲＡ１がＯＮ、リレーＲＡ２がＯＦＦの第１給電モードに設定する。
【００４０】
コピーモードにおいては、転写紙が定着器の熱を奪うので、第１定着ヒータ４２ａ（１０００Ｗ）はフル点灯し、最高で１０００Ｗ消費して、第２定着ヒータ４２ｂ（８００Ｗ）は７５％デューティを中心に点灯制御して、略６００Ｗ消費する。ＤＣ電源回路４０ｂ以下のＤＣ負荷は、モータなどの駆動負荷が動くので最高で交流入力換算で８００Ｗ消費し、合計電力は最高で２４００Ｗになる。合計電力は２４００Ｗだが、定着電力は１５００Ｗ（１５Ａ）をオーバーし、ＤＣ電源回路４０ｂへのＡＣ入力は余裕があるので、第１定着ヒータ４２ａはＡＣ入力１から給電し、第２定着ヒータ４２ｂとＤＣ電源回路４０ｂはＡＣ入力２から給電するように、リレーＲＡ１がＯＦＦ、リレーＲＡ２がＯＮの第２給電モードに設定する。
【００４１】
電源ＳＷ４５が開から閉に切換わった電源投入直後の立上りモードにおいては、室温である定着器をできるだけ早く設定温度に立ち上げるために、第１定着ヒータ４２ａ（１０００Ｗ）および第２定着ヒータ４２ｂ（８００Ｗ）ともフル点灯制御するので、合わせて最高で１８００Ｗ消費する。ＤＣ電源回路４０ｂ以下のＤＣ負荷は、待機モードと同様に、駆動負荷が動かないので低く、最高で交流入力換算で４００Ｗ消費する。合計電力は最高で２２００Ｗだが、定着電力は１５００Ｗ（１５Ａ）をオーバーする。ＤＣ電源回路４０ｂ以下のＤＣ負荷が低くＡＣ入力２には余裕があるので、コピーモードと同様に、第１定着ヒータ４２ａはＡＣ入力１から給電し、第２定着ヒータ４２ｂとＤＣ電源回路４０ｂ以下のＤＣ負荷にはＡＣ入力２から給電するように、リレーＲＡ１がＯＦＦ、リレーＲＡ２がＯＮの第２給電モードを設定する。各モードでの、ＤＣ負荷，第１定着ヒータ４２ａ，第２定着ヒータ４２ｂの、入力交流電力換算の消費電力と合計電力、ならびに、リレーＲＡ１，ＲＡ２のＯＮ／ＯＦＦ状態を、次の表２に示す。
【００４２】
【表２】
2007049893.tif 000004
【図面の簡単な説明】
【００４３】
【図１】本発明の第１実施例の、複合機能がある複写機の外観を示す正面図である。
【図２】図１に示す複写機の画像処理システムの概要を示すブロック図である。
【図３】図２に示すＡＣ／ＤＣ電源４０の概要を示すブロック図である。
【図４】第２実施例のＡＣ／ＤＣ電源４０の概要を示すブロック図である。
【符号の説明】
【００４４】
ＰＣ：パソコン  ＰＢＸ：交換器
ＰＮ：電話回線  ＲＡ〜ＲＡ２：電気リレー
【図１】
2007049893.tif 000005
【図２】
2007049893.tif 000006
【図３】
2007049893.tif 000007
【図４】
2007049893.tif 000008